(57)【特許請求の範囲】
【請求項１】
「手先側から手先柄領域、無地領域、胴柄領域、及び太鼓柄領域の順序で形成され、最終端部が垂れ先とされている６通柄の帯に対して、
前記手先柄領域の表柄と前記無地領域の表側の境界付近であって着用時にほぼ背柱に当たる位置を第１の切断縁（Ｘ）として切断すると共に、前記胴柄領域の表柄と前記太鼓柄領域の表側境界付近であって、着用にほぼ背柱に当たる位置を第２の切断縁（Ｙ）として切断して、中間部分帯を切り離し、
切り離された上記中間部分帯の表側の左右両端縁の位置を逆転して、元の切り離した位置に戻し、前記中間部分帯の一方の端縁を前記第１の切断縁（Ｘ）に縫合すると共に、前記中間部分帯の他方の端縁を前記第２の切断縁（Ｙ）に縫合し、
前記６通柄の帯の胴回り部（２０）に対して直行するように太鼓部（１０）を折り曲げるための複数個の面ファスナーを、前記胴周り部になる部分と太鼓部となる帯の境界付近に取り付け、着用時に前記面ファスナーを使用して太鼓部側から２回りの胴回を行った際に、前記無地領域が表面に出ないように加工することを特徴とする６通柄の帯の再生加工方法。
【発明の詳細な説明】
【技術分野】
【０００１】
本発明は、和服を着用する際に使用する帯を加工して利用し易い帯に再生する再生加工方法に関するものである。
【背景技術】
【０００２】
和服と共に使用されている帯は、和服を着用する機会が少なくなると共に、その使用頻度が減少している。
しかし、例えば、成人式や結婚式等ではまだ多くの人に着物を着る機会があり、そのために和服を購入して帯と共に所持している人も多いが、日本の伝統的な帯は着物の着付けに見られるように簡単に一人で結ぶことが難しい。
そのため、大部分の人は着物と共に帯もタンス等の奥にしまいこみ、日常的には使用しなくなっている。
【特許文献１】実公平４−５４１７３号公報
【０００３】
図７は一般的によく使用されている袋帯の表面（ａ）、及び裏面（ｂ）を示したものである。
このような帯は一般に６通柄の帯といわれており、表面の６割には帯の柄が、裏面は無地となるように構成されている。
帯柄は表面の左側端部を手先Aとして手先柄領域Ｂ、無地領域Ｃ、帯の胴回り部分となる胴柄領域Ｄ、帯の太鼓部を形成する太鼓柄領域Eとなるように構成され、右側端部を垂れ先Ｆと呼ぶことにする。そして、裏面は一般的に全部無地、又は無地に近い柄となるように成形されている。
【発明の開示】
【発明が解決しようとする課題】
【０００４】
このような帯は、通常、着物の上から着用する場合に、手先A側から胴に二周りするように巻き付けることによって無地領域Ｃが胴柄領域Ｄによって覆われ、残りの帯部分、すなわち太鼓柄領域Eは背後でほぼ直角に折り曲げるように折り込んで太鼓部を形成するが、この場合、背後で太鼓部を形成する着付け作業は極めて困難になるという問題がある。
そこで、種種の小道具を利用して帯の結び方が容易になるように工夫したものが知られている。
【０００５】
図８（ａ）は、先に本出願人が提案した平面型のファスナー（以下、面ファスナーという）を利用して帯結びが容易になるようにした概要図（例えば、実公平４−５４１７３号公報）を示すもので、予め帯の裏面に複数個の面ファスナー片ａ、ｂ、ｃ、ｄ等が取り付けられている。
そして、この面ファスナー片ａ、ｂ部分を同図（ｂ）に示すように重ねることによって、胴回り部２０となる領域を二つ折りに折り畳み、さらに同図（ｃ）に示すように重畳された面ファスナーａ、ｂの部分を面ファスナーｃの上に圧着結合して２等辺三角形を作り、胴回り部２０を立ち上げることによって太鼓を形成する部分となる太鼓部１０を胴回り部２０と直交する方向に作り、この太鼓部１０の部分を通常は１重又は２重に折り込んで飾り太鼓を形成する。そして、形成されたこの太鼓を補助具等でその形が崩れないように仮止めし、次に、この太鼓の部分を、枕帯を背中に当て枕帯の紐で固定させて、胴回り部２０を背中から前に向かって二周り巻き付けて仮止めしておく。
そして、背後に手を回して手先と手先柄領域を太鼓の中に装着して帯び〆で固定し、着物を着用している。
【０００６】
このようにすると、胴回りに帯を巻き付ける前に太鼓部１０を所望の形に折り曲げて太鼓を形成できるので帯結びが楽になるが、胴回り部２０を背中から前に向かってそのまま帯を２重に巻き付けると、最後に図７の無地領域Ｃが上側に露出することになり、胴柄領域Ｄが下側に隠されて見た目が悪くなるという問題がある。
そのため、すでに購入している従来の６通柄の帯をこのような方法、すなわち、ファスナー等を使用して帯結びを行った場合は、無地領域となる部分が表面に出ないようにすることが難しくなり、自然に和服を着用しなくなったり、このような帯は箪笥にしまったままにしたり、または、処分して新しく帯を作ったりしていた。
【課題を解決するための手段】
【０００７】
本発明はかかる問題点を解消するためになされたもので、
手先側から手先柄領域、無地領域、胴柄領域、及び太鼓柄領域の順序に形成されている、いわゆる６通柄の帯に対して、上記したようなファスナーを使用して６通柄の帯結びを行った際にも、
手先柄領域と前記無地領域の境界付近を第１の切断縁として切断すると共に、胴柄領域と太鼓柄領域の境界付近を第２の切断縁として切断して、中間部分帯を切り離し、
この切り離された上記中間部分帯の左右両端縁の位置を逆転して、元の切り離した位置に戻して縫合するように６通柄の帯の再生加工する方法を提供するものである。
【０００８】
本発明の帯の再生加工方法も、従来の帯と同様に、上記胴柄領域と太鼓柄領域の境界付近に複数個の面ファスナーを取り付け、この複数個の面ファスナーによって、太鼓部の帯部に対して直交する方向に胴回し帯部を形成して帯結びをするようにしているので、あらかじめ太鼓部を所望の形に成形した後に背にあてて固定し、胴回り柄領域に形成されているポイント模様等が丁度前に来るように適宜調整して帯を結ぶことが簡単にできると共に、  特に、６通柄の帯の場合このような帯結びの方法を行う際にも、帯の無地領域となる部分が容易に表面に出ないようにすることができる。
【０００９】
また、帯の長さにもよるが、手先側から手先柄領域、無地領域、胴柄領域、及び太鼓柄領域の順序に形成されている着物の帯を一回、または二回巻で胴柄がでるように着付けるようにした場合、本発明の加工再生方法とは無地領域を目立たないように着付けすることができ、また、例えば前記太鼓柄領域の適当な箇所を切断して切り離し、切り離された小帯を利用して太鼓部を作るようにすれば、２重太鼓や、変わり結び帯（角出し結び、扇結び、蝶結びなど）に使用することができるように加工再生することもできる。
【発明の効果】
【００１０】
本発明は、予め太鼓部と胴回り部を面ファスナー等によって形成した後に、さらに、太鼓部となる部分をあらかじめ成形し、この太鼓部を補助具等を利用して背中に背負い、その後に胴回り部を胴に対して２回巻き付けるような６通柄帯の着付け方法に対しても、帯柄が所定の位置に現れるようにすることが、従来の帯の結び方に比較して簡単に扱うことができるという効果がある。
また、本発明の６通柄の帯の再生加工方法は、従来から各人が所有している多くの古い帯で、帯結びがうまくできない帯を使用して、帯結びを容易にすると共に帯結びや太鼓部を豪華に見せることができるので、古い帯を処分することなく活用し資源のリサイクルを促進するという効果がある。
【発明を実施するための最良の形態】
【００１１】
以下、本発明の改良された６通柄の帯の形状と、このような帯を従来の６通柄の帯から再生加工する方法を、図面に示す実施例に沿って説明する。
図１は本発明を６通柄の帯（６通柄帯）に適応するときの平面図を示したものである。
この図に示されている帯は先に示したように、いわゆる６通柄の袋帯であって、左端部から手先A、手先柄領域Ｂ、無地領域Ｃ、胴柄領域Ｄ、太鼓柄領域Ｅ、そして右端部が垂れ先Ｆとなっている。
なお、Ｋの部分は帯の前側に位置するように付けられた胴柄模様のポイント位置であり、Ｑは太鼓部の上側中心に位置するように付けられた太鼓模様のポイント位置を示すが、このような模様は必ずしも付けられているとは限らない。
また、胴柄と太鼓柄は普通は同一の模様によって構成される場合も多い。
【００１２】
以下、本発明の改良された６通柄帯と、このような帯を従来の６通柄帯から加工して再生する方法を説明する。
まず、図１（ａ）に示すように、従来の６通柄の帯の手先柄領域Ｂと無地領域Ｃの境界付近のＸ点、及び、無地領域Ｃと胴柄領域Ｄの境界付近のＹ点を鋏み等によって切断して中間帯部分を作る。この場合は通常無地となっている裏面は残して柄模様が形成されている表面側のみを上記Ｘ点、Ｙ点で切り離す方が帯の強度を保つ上では好ましい。
次に、Ｘ点、Ｙ点で切り離された中間帯部分を同図（ｂ）に示すように左右逆転して配置し、Ｘ点側では手先側に近い切断端（縁）ｘ１と太鼓部側位置していた中間帯部分の一方の切断端（縁）ｙ１を縫合すると共に、Ｙ点側では切り離された中間帯部分の他方の切断端（縁）ｘ２と、帯の太鼓領域側の切断端（縁）ｙ２の部分を縫合して、同図（ｃ）に示すように無地領域Ｃが中央部分に移動した帯に再生加工する。
【００１３】
この場合は帯を切断する切断点Ｘ、及びＹは後で説明するように帯を着用したときに、その部分がほぼ背柱の位置となるように配置することが好ましい。
そのため、一般的には手先Aから切断点となるＸ点までは、ほぼ６５ｃｍであり、切断点となるＹ点は垂れ先Ｆの端部からほぼ１６０ｃｍとなる。
しかし、この切断点となるＸ点、Ｙ点の位置は帯の太鼓柄模様のポイント位置Ｑ、着用者の体型（胴回り）などによって一義的に決めることはできないが、おおまかにはこの切断点が帯を着用したときに、ほぼ背柱に当たる位置になるように定まればよい。
【００１４】
帯の無地側となる裏面には同図（ｄ）に示すように、５カ所に面ファスナーａ、ｂ、ｃ、ｄ、及びeを縫いつける。
この面ファスナーは先の図８で説明したように、面ファスナーａ、ｂの部分をマイナス側面ファスナーとすると、面ファスナーｃはプラス側の面ファスナーとしている。そして、面ファスナーａとｂを互いに重ね合わせることによって、帯を二つ折りして胴回りとなる部分（胴回り部２０）を作ると共に、この重合した面ファスナーａ、ｂを三角形の頂点として、さらに、面ファスナーｃに結合圧着し、太鼓部（たれ先部）１０に対して直交するように胴回り部２０を折り曲げることができるようにしている。
【００１５】
なお、面ファスナーｄは図２に概略が示されているように直交する方向に形成された胴回り部２０の折り返し位置を調整するための調整ベルト３０を面ファスナーにより取り付けるために設けたものである。
この調整ベルト３０は上記面ファスナーｄと結合するように、調整ベルト３０の下面に面ファスナー３３ａが取り付けられ、両端には帯枕の紐等を挿入する紐通し３１ａ，３１ｂが設けられると共に、下方に向かってクリップ３２ａ、３２ｂが垂れ下がるように構成されている。
【００１６】
帯を着用する際には、この調整ベルト３０の下面に設けた面ファスナー３３ａと帯の面ファスナーｄを結合し、図のように予め折り畳んでいた胴回り部２０を矢印方向に胴に巻き付けるときに、最初の折り返し点を逆方向に折り曲げてクリップ３２ｂの尖端に鋏んで、その折り返し点をベルトのＬ、Ｍ、Ｓのいずれかの位置に合わせる。そして、最初の一回りで無地領域Ｃの部分が巻かれ、次の二周り目で胴柄領域Ｄが表面に現れるようにすると、無地領域Ｃが表面に出ない。
また、帯の胴柄領域Ｄにポイント模様Ｋがある場合に、先のクリップ位置の調整によってこのポイント模様Ｋが丁度前中心になるように胴回り部２０の長さを調整することがでる。
また、体型の違いによって生じる胴回り部２０の全体的な長さを調整し、２回回したときの手先が丁度太鼓部１０にフィットするように設定することができる。
さらにこの調整ベルト３０の上面にもオープン面ファスナー（蓋付き面ファスナー）を形成しておくことによって、帯の太鼓部領域に形成しておいた面ファスナーeを太鼓を形作る際にこの調整ベルト３０の上面のファスナー３３ｂに圧着して、折り畳んだ太鼓部の形を保持しておくことができる。
したがって、本発明の再生加工方法を使用した帯を着用する前に、まず、太鼓部１０と胴回り部２０を前記したファスナーａ、ｂ、ｃにより形成し、調整ベルト３０を付けることによって胴回り部２０の長さを調整した後に、さらに、太鼓部１０を折り込んで種種の形にして、その形を図示しないクリップ等で保ったまま、帯を背中に背負い、胴回り部を２回程度回して仮結びを行うと、無地領域が表面に出ないように帯結びを完了することができるので、帯を着用することが簡単にできる。
【００１７】
以上の実施例に示した６通柄帯は、従来の６通柄帯の表面を切断加工することによって構成したので、図１（ｃ）のような柄模様となるように最初から新規な織り方を採用して、本発明が採用しているような着付け方法で着用できる帯を新規に織り上げる必要がなく無駄を省略することができる。
【実施例】
【００１８】
図３は本発明の実施例を示した先に述べたような６通柄帯の加工方法をさらに加工する方法を示したもので、（ａ）は表面、（ｂ）は裏面（無地）を示し、表面で前記図１と同一符号は同一部分を示す。
この実施の形態の場合は、同図（ｃ）（ｄ）に示すように太鼓柄領域Ｅに切断点Ｚをいれて垂れ先Ｆの部分と共に切り離し、小帯４０Aを作ると共に、残りの本帯５０Aを２回胴回り帯とすると共に、本帯５０Aと小帯４０Aとを使用して次の図４に示すように２重太鼓結びとして使用する。
【００１９】
図４はこのように本帯５０Aと小帯４０Aを使用して２重太鼓を形成する場合の説明図で、同図（ａ）のように先に説明した本帯５０Aを折畳んで胴回り部と、太鼓部を形成し、調整ベルト３０を太鼓部となる帯の面ファスナーｄにより固着する。そして、同図（ｂ）に示すように調整ベルト３０の表面に設けたオープン面ファスナー３３に切り離された小帯４０Aの垂れ先が下側になるように小帯４０Aの面ファスナーeを圧着して重ねると共に、同図（ｃ）に示すように本帯５０Aの新しく垂れ先となる部分ｚ１を下側に折り曲げて小帯４０Aを包み込み、この状態でイの部分をロの部分に重なるように上部を二つ折りして同図（ｄ）に示すように２重以上の厚みを有する太鼓部を作るようにしている。
【００２０】
図３の実施例では小帯４０の部分を垂れ先Ｆ側の帯で作るようにしたが、以下の実施例では小帯４０を手先A側で作る場合を図５に示す。
この場合は、通常の帯の無地領域Ｃに図５（ａ）に示すように２カ所に切断点Ｚ１，Ｚ２を鋏み等で入れて、同図（ｂ）の裏面に示されているように無地領域Ｃ’を切り離し、この部分を小帯４０Ｂとすると共に、切り離された手先柄領域Ｂの部分を胴柄領域Ｄの部分に寄せて、Ｚ３点で縫合し本帯５０Ｂとして使用する。
そして、小帯４０Ｂの部分を使用して２重太鼓を作ったり、変わり結び太鼓を形成すると共に、本帯５０Ｂは胴回し１回の帯として着用するものである。
【００２１】
図６（ａ）（ｂ）は小帯を作る切断点を一カ所だけとした帯の表面と裏面の形態を示す。
この実施例の場合は帯を一カ所でのみ切断し、その切断面Ｚが手先側からほぼ（７６ｃｍ、約２尺）のZ点に形成される。
そして、この切断面ｚで切り離された部分は小帯４０Ｃとして使用し、残りの帯を胴回り１回巻の６通柄帯の本帯５０Ｃとして使用する。
【００２２】
図５，図６のいずれも小帯の裏側には図示されていないが面ファスナーｆが縫いつけることができ、本帯５０の裏面には先に述べたような複数個の面ファスナーａ、ｂ、ｃ、ｄ、eが縫い込まれている。
この場合少し短くなった本帯５０は先に述べたように面ファスナーａ、ｂ、ｃを利用して胴回り部２０と太鼓部１０を作り、着用時に胴回り部２０は１回巻とすることによって胴柄が表面に出るようにすると共に、新しく作られた本帯５０の手先側の部分は最終的に太鼓の中に納めるように着用する。
また、小帯４０の裏側に面ファスナーｆを取り付けたときは、先に説明したようにこの面ファスナーｆを太鼓部に取り付けた調整ベルト３０の表面に設けているオープン面ファスナー３３に結合し、太鼓部１０を形成する帯の上に重ねて取付け、そのまま太鼓部１０と共に折り込んだりすることによって、本出願人が先に提案した飾り羽根用の帯として着用することもできる。
【図面の簡単な説明】
【００２３】
【図１】本発明の帯の再生加工方法を説明するための平面図である。
【図２】帯を着用するために有用な面ファスナーと、調整ベルトの利用方法を示す説明図である。
【図３】本発明の他の再生加工方法を説明する帯の表面と裏面の平面図である。
【図４】本発明で作られた小帯を２重太鼓に利用するときの方法を説明するための説明図である。
【図５】小帯を切り出すときの一例を示す説明図である。
【図６】小帯を切り出すときの他の方法を説明する説明図である。
【図７】従来の６通し柄の帯の説明図である。
【図８】帯に設けた面ファスナーの利用方法を説明する展開図である。
【符号の説明】
【００２４】
１０  太鼓部  ２０  胴回り部  ３０  調整ベルト  ４０  小帯  ５０  本帯  Ａ手先部  Ｂ  手先柄領域  Ｃ  無地領域  Ｄ  胴柄領域  Ｅ  太鼓領域  Ｆ  垂れ先部
【図１】
0004641379.tif 000002
【図２】
0004641379.tif 000003
【図３】
0004641379.tif 000004
【図４】
0004641379.tif 000005
【図５】
0004641379.tif 000006
【図６】
0004641379.tif 000007
【図７】
0004641379.tif 000008
【図８】
0004641379.tif 000009